(57)【要約】【課題】保護部材とシール材を有すると共に、簡単に組立てできる下枠とする。【解決手段】下枠本体１０と、その保護部材取付部１１に取付ける保護部材２０と、この保護部材２０に一体的に設けたシール材３０を備え、前記保護部材２０を下枠本体１０に取付けることで、保護部材２０とシール材３０を有する下枠を組立てできるようにする。【選択図】図４
2009155948.tif 000002
【特許請求の範囲】
【請求項１】
上枠と下枠と左右の縦枠を矩形状に枠組みした建具枠の下枠であって、
下枠本体と、この下枠本体に取付けられ当該下枠本体の少なくとも一部分を覆う保護部材と、この保護部材に一体に設けられ前記建具枠に設けられる建具体と当接するシール材を備え、
前記保護部材は、外力によって長手方向に向けて弾性変形可能で、
前記シール材は、前記保護部材よりも軟らかい材質であることを特徴とする下枠。
【請求項２】
保護部材は下枠本体に、その保護部材の裏面のほぼ全面が下枠本体に接するように取付けてある請求項１記載の下枠。
【請求項３】
保護部材は下枠本体に、上方に移動しないように係止して取付けてある請求項１又は２記載の下枠。
【請求項４】
保護部材の長手方向両端部分が下枠本体に固着手段で固着してある請求項１又は２又は３記載の下枠。
【請求項５】
下枠本体は、断面ほぼ矩形山形状で、係止受部を有した保護部材取付部を有し、
保護部材は、前記保護部材取付部に上から嵌まり合う断面ほぼ下向きコ字形状で、前記係止受部に係止する係止部を有している請求項１記載の下枠。
【請求項６】
請求項１〜５いずれか１項に記載の下枠を備えたドア枠に、扉を開閉自在に取付けたことを特徴とするドア。
【発明の詳細な説明】
【技術分野】
【０００１】
本発明は、出入口に取付けるドア枠等の建具枠に用いる下枠及び、その下枠を用いたドア枠に扉を装着したドアに関する。
【背景技術】
【０００２】
従来、ドア枠に扉を開閉自在に装着したドアが種々提案されている。
このドア枠の下枠には扉下部が接するシール材が装着してある。
また、ドア枠の下枠は、通行する人により踏まれるので傷がついたり、変形することがあるので、防護部材を取付けて下枠が直接踏まれないようにしている。
例えば、特許文献１に開示されたように、下枠本体の上面に保護部材を取付けると共に、その下枠本体にシール材を取付けた下枠が知られている。
【特許文献１】特開２００４−３０８１４８号公報
【発明の開示】
【発明が解決しようとする課題】
【０００３】
前述した従来の下枠においては、下枠本体に取付けた保護部材、シール材が通行する人により踏まれるので、その保護部材、シール材を踏まれても外れないようにしっかりと取付けしなければならない。
特に、シール材は下枠本体のシール材取付部よりも室外側に大きく張り出して扉の下部が接するようにしてあるので、踏まれることで外れ易いので、前述した従来の下枠においては、下枠本体に上下２つのシール材取付部を形成し、シール材は２つの取付部を有し、その２つの取付部を２つのシール材取付部にそれぞれ取付けているから、そのシール材の取付け作業が面倒で煩わしい。
このように、従来の下枠は、保護部材とシール材をそれぞれ別々に取付けると共に、そのシール材の取付け作業が面倒で煩わしいので、下枠の組立作業が面倒で煩わしい。
【０００４】
本発明の目的は、保護部材とシール材を簡単に下枠本体に取付けでき、組立作業が容易である下枠及び、その下枠を用いたドアとすることである。
【課題を解決するための手段】
【０００５】
本発明の下枠は、上枠と下枠と左右の縦枠を矩形状に枠組みした建具枠の下枠であって、下枠本体と、この下枠本体に取付けられ当該下枠本体の少なくとも一部分を覆う保護部材と、この保護部材に一体に設けられ前記建具枠に設けられる建具体と当接するシール材を備え、
前記保護部材は、外力によって長手方向に向けて弾性変形可能で、
前記シール材は、前記保護部材よりも軟らかい材質であることを特徴とする下枠である。
【０００６】
本発明の下枠においては、保護部材は下枠本体に、その保護部材の裏面のほぼ全面が下枠本体に接するように取付けることができる。
このようにすれば、人が保護部材を踏みつけた場合に、その保護部材に作用する力を下枠本体で支承するので、保護部材が変形することがない。
【０００７】
本発明の下枠においては、保護部材は下枠本体に、上方に移動しないように係止して取付けることができる。
このようにすれば、保護部材が熱伸びした時に、下枠本体よりも浮き上がることを防止できる。
【０００８】
本発明の下枠においては、保護部材の長手方向両端部分が下枠本体に固着手段で固着することができる。
このようにすれば、保護部材が熱によって縮み変形することを防止できる。
【０００９】
本発明の下枠においては、下枠本体は、断面ほぼ矩形山形状で、係止受部を有した保護部材取付部を有し、
保護部材は、前記保護部材取付部に上から嵌まり合う断面ほぼ下向きコ字形状で、前記
係止受部に係止する係止部を有しているようにできる。
このようにすれば、保護部材が保護部材取付部に上から嵌まり合うようにして取付けてあるので、人に踏まれた時に保護部材が下枠本体から外れることがない。
また、係止部が係止受部に係止していることで、保護部材が熱伸びした時に浮き上がることを防止できる。
【００１０】
本発明のドアは、請求項１〜５いずれか１項に記載の下枠を備えたドア枠に、扉を開閉自在に取付けたことを特徴とするドアである。
【発明の効果】
【００１１】
本発明の下枠によれば、下枠本体に保護部材を取付けることで、その下枠本体に保護部材とシール材を取付けできる。
したがって、保護部材とシール材を簡単に下枠本体に取付けでき、組立作業が容易である下枠とすることができる。
また、保護部材はシール材とともに長手方向に向けて弾性変形して山形状とすることができるので、左右の縦枠に連結された下枠本体に保護部材を簡単に取付け、取り外しできる。
【発明を実施するための最良の形態】
【００１２】
図１に示すように、建具枠、例えばドア枠１に建具体、例えば扉２をヒンジ３で開閉自在に取付けて建具、例えばドアとしてある。
前記ドア枠１は上枠４と下枠５と左右の縦枠６，６を方形状に連結してある。
前記ドア枠１は図２、図３に示すように建物躯体７の出入口となる開口部８に取付けられる。
【００１３】
前記下枠５は図２に示すように、下枠本体１０と、この下枠本体１０に取付けられ、当該下枠本体１０の少なくとも一部分、例えば人に踏まれる室内側の部分を覆う保護部材２０と、この保護部材２０に一体に設けられ、前記扉２の下部が接するシール材３０を備えている。
このようであるから、保護部材２０を下枠本体１０に取付けることで、保護部材２０とシール材３０を下枠本体１０に取付けでき、下枠５の組立作業が容易である。
【００１４】
前記保護部材２０は左右の縦枠６，６間に亘って連続した長尺で、長手方向に向けて弾性変形可能で、外力を付与することで長手方向に向けて弾性変形してほぼ山形状に変形し、長手方向の寸法が小さくなると共に、踏まれても傷がつかない硬さを有している。
前記シール材３０は、前記保護部材２０よりも軟らかい材質で、扉２が閉じ状態の時に扉２によって弾性変形して扉２に均一に接するように、前記保護部材２０の室外側部に一体的に設けてある。
【００１５】
例えば、保護部材２０は半硬質の樹脂を用い、シール材３０は保護部材２０よりも軟らかい軟質の樹脂を用い、押出成形機で前記保護部材２０とシール材３０を同時に押出成形してシール材３０を一体的に有した保護部材２０とする。
【００１６】
このようであるから、下枠本体１０と左右の縦枠６を連結した状態、つまりドア枠１を組み立てた状態で、シール材３０を有した保護部材２０を外力で山形状に弾性変形して下枠本体１０の上面に接し、外力をゼロとすることで直線状に弾性復元して保護部材２０の長手方向端部を左右の縦枠６に接するようにして下枠本体１０に取付けできる。
また、下枠本体１０に取付けた状態で、保護部材２０を山形状に弾性変形することで、その長手方向両端部が左右の縦枠６から離れるから、取り外しできる。
【００１７】
次に、下枠５の好ましい形態を説明する。
第１は、前記保護部材２０を下枠本体１０に取付けた状態で、その保護部材２０の裏面のほぼ全面が下枠本体１０に接するようにしてある。
これによって、通行する人が保護部材２０を踏みつけた場合に、その保護部材２０に作用する力を下枠本体１０で支承するので、保護部材２０が変形することがない。
【００１８】
第２は、保護部材２０は下枠本体１０に上方に移動しないように係止している。
これによって、保護部材２０が熱伸びして長手方向両端部が左右の縦枠６に押しつけられた時に、保護部材２０が下枠本体１０から浮き上がることがない。
【００１９】
第３は、前記保護部材２０の長手方向両端部分が図３に示すように下枠本体１０に固着手段、例えばビス９で固着してある。
これによって、保護部材２０が熱によって縮み変形することを防止できる。
【００２０】
次に、下枠５の具体形状の一例を図４に基づいて説明する。
下枠本体１０は保護部材取付部１１と、この保護部材取付部１１よりも室外側に張り出した張り出し部１２を有している。
前記保護部材取付部１１は、室内外側方向に向かう横向板１３と、この横向板１３の室内側端と連続した室内側垂下板１４と、前記横向板１３の室外側端と連続した室外側垂下板１５を有した断面ほぼ矩形山形状で、その室内外側垂下板１４，１５に係止受部１４ａ，１５ａが形成してある。
前記室内側垂下片１４の下端と連続して室内側取付片１６が設けられ、この室内側取付片１６が図２に示すように、建物躯体７の開口部８に固着具１７で固着して取付けられる。
前記張り出し部１２は保護部材取付部１１の室外側垂下板１５の下端と連続して保護部材取付部１１よりも下方に位置している。
この張り出し部１２は室外側取付片１８を有し、その室外側取付片１８が図２に示すように建物躯体７の室外側面７ａに固着具１９で固着して取付けられる。
【００２１】
この実施の形態の下枠本体１０は、アルミ押出形材の室内側金属部材１０ａと室外側金属部材１０ｂを断熱材１０ｃで連結した断熱形材で、その室内側金属部材１０ａに前記保護部材取付部１１が設けてあると共に、室外側金属部材１０ｂに前記張り出し部１２が設けてある。
これに限ることはなく、下枠本体１０はアルミ押出形材の一体形状でも良い。
【００２２】
前記保護部材２０は、室内外側方向に向かう横向板１と、この横向板１の室内側端と連続した室内側下向板２２と、前記横向板１の室外側端と連続した室外側下向板２３で断面ほぼ下向きコ字形状で、その室内外側下向板２２，２３に係止部２２ａ，２３ａが形成してある。
この保護部材２０は、前記保護部材取付部１１に上から嵌め込むようにして取付けられ、その係止部２２ａ，２３ａが前記係止受部１４ａ，１５ａに係止するようにしてある。
【００２３】
このように、保護部材２０の横向板２１の下面が保護部材取付部１１の横向板１３の上面に接し、室内外側下向板２２，２３が室内側垂下板１４，１５に接するようにして保護部材２０が保護部材取付部１１に取付けてあるので、保護部材２０が通行する人に踏まれた時に外れることがない。
【００２４】
また、保護部材２０の横向板２１の下面が保護部材取付部１１の横向板３の上面に接しているので、保護部材２０が通行する人に踏まれた時に、横向板２１が変形しないようにできる。
つまり、横向板１の下面が保護部材２０の裏面のほぼ全面である。
【００２５】
また、係止部２２ａ，２３ａが係止受部１４ａ，１５ａに係合していることで、保護部材２０は上方に移動しないように係止される。
なお、この係止とは熱伸びによる上向き力を支持することで、それよりも強い力を作用すれば係止めが解除されて保護部材２０を上方に移動できる。
【００２６】
前記シール材３０は保護部材２０の室外側下向板２３の室外側面に一体的に設けてある上横片３１と下横片３２と、この上横片３１と下横片３２を連続した縦片３３と、室外側に向かうシール突片３４を有している。
【００２７】
前記縦枠６は、図３に示すように縦枠本体４０と、その縦枠本体４０の室内側部に取付けたカバー材４１を備えている。
前記縦枠本体４０は、室内外側方向に向かう基板４０ａと、この基板４０ａの内側面に一体的に設けたコ字状片４０ｂと、前記基板４０ａの室内側に一体的に設けた室内側内向片４０ｃを有すると共に、室内側取付片４２と室外側取付片４３を有している。
前記カバー材４１は、前記室内側内向片４０ｃに係止していると共に、コ字状片４０ｂにビス４４で固着して取付けられる。
前記コ字状片４０ｂと室内側内向片４０ｃの下端部分を切除し、下枠５の長手方向端面を基板４０ａの内側面に接して連結してある。
【００２８】
前記下枠１０と保護部材２０を固着するビス９は、カバー材４１を取り外した状態で螺合し、カバー材４１を取付けることでビス９をカバー材４１で隠蔽して見えないようにしてある。
【００２９】
前記保護部材２０と保護部材取付部１１の形状は前述のものに限ることはなく、任意の形状とすることができる。
例えば、保護部材取付部１１を上向きのあり溝形状とし、保護部材２０は前述のように下向コ字形状で、あり溝に係止する係止片を有する形状とすることができる。
また、縦枠６の形状は前述のものに限ることはないし、縦枠６と下枠５の連結も前述のものに限ることはない。
【００３０】
前述の実施の形態はドア枠の下枠として説明したが、この下枠はドア枠以外の建具枠の下枠としても利用できる。例えば、テラスの出入口などに用いる引き違いサッシのサッシ枠の下枠として用いることができる。
【図面の簡単な説明】
【００３１】
【図１】本発明の実施の形態を示すドアの概略内観図である。
【図２】図１のＡ−Ａ詳細断面図である。
【図３】図１のＢ−Ｂ詳細断面図である。
【図４】下枠の拡大断面図である。
【符号の説明】
【００３２】
１…ドア枠、２…扉、５…下枠、６…縦枠、１０…下枠本体、１１…保護部材取付部、１２…張り出し部、１３…横向板、１４…室内側垂下板、１４ａ…被係合部、１５…室外側垂下板、１５ａ…被係止部、２０…保護部材、２１…横向板、２２…室内側下向板、２２ａ…係止部、２３…室外側下向板、２３ａ…係止部、３０…シール材。
【図１】
2009155948.tif 000003
【図２】
2009155948.tif 000004
【図３】
2009155948.tif 000005
【図４】
2009155948.tif 000006